(57)【要約】【課題】  撮像レンズからカメラ目線を外さずに撮像手段からのスルー画像を確認することを可能とする撮像装置を提供すること。【解決手段】  撮影レンズユニット（２）と、被写体像を受光する撮像手段（３）と、画像情報に基づく光束を出力する光源（２８）と、光源（２８）からの光束を反射させて投影する走査手段（２９）と、撮影レンズユニット（２）と撮像手段（３）との間に光軸に対して傾斜して配置され、撮影レンズユニット（２）から入射した光束を透過させて撮像手段（３）に結像させ、走査手段（２９）により投影された光束を撮影レンズユニット（２）へ導くハーフミラー（３０）と、を有し、撮像手段（３）と走査手段（２９）はハーフミラー（３０）からの距離が略同じになるように配置される。撮影レンズユニット（２）を通った走査手段（２９）からの光束は被写体の網膜に投影される。【選択図】  図１
2018189746.tif 000002
【特許請求の範囲】
【請求項１】
撮像光学系と、
前記撮像光学系を介して被写体像を受光する撮像素子と、
画像情報に基づく光束を出力する光源手段と、
前記光源手段からの光束を反射させて投影する走査手段と、
前記撮像光学系と前記撮像素子との間に前記撮像光学系の光軸に対して傾斜して配置され、前記撮像光学系から入射した光束を透過させて前記撮像素子に結像させて、前記走査手段により投影された光束を前記撮像光学系を介して前記被写体へ反射させる光学素子と、を有し、
前記撮像素子と前記走査手段は、前記光学素子からの距離が略同じになるように配置されることを特徴とする撮像装置。
【請求項２】
前記走査手段は、前記光源手段より出力された画像情報を前記光学素子および前記撮像光学系を介して前記被写体の網膜に投影することを特徴とする請求項１に記載に撮像装置。
【請求項３】
前記走査手段は、ＭＥＭＳミラーを有し、
前記ＭＥＭＳミラーを微小駆動させることで前記光源手段により出力された画像情報を投影することを特徴とする請求項１又は２に記載の撮像装置。
【請求項４】
前記光源手段は、前記撮像素子が受光した被写体像から生成されたスルー画像の画像情報に基づく光束を出力することを特徴とする請求項１乃至３のいずれか１項に記載の撮像装置。
【請求項５】
前記走査手段は、前記撮像光学系の絞り値に応じて走査角度を変更して投影することを特徴とする請求項１乃至４のいずれか１項に記載の撮像装置。
【請求項６】
撮像光学系と、
前記撮像光学系を介して被写体像を受光する撮像素子と、
画像情報に基づく光束を出力する光源手段と、
前記光源手段からの光束を反射させて前記撮像光学系を介して前記被写体の網膜へ投影する走査手段と、
を有することを特徴とする撮像装置。
【請求項７】
前記走査手段は、ＭＥＭＳミラーを有し、
前記ＭＥＭＳミラーを微小駆動させることで前記画像情報を投影することを特徴とする請求項６に記載の撮像装置。
【請求項８】
前記光源手段は、前記撮像素子が受光した被写体像から生成されたスルー画像の画像情報に基づく光束を出力することを特徴とする請求項６又は７に記載の撮像装置。
【請求項９】
所定の被写体に合焦させて前記撮像素子に被写体像を結像するように前記撮像光学系を制御する制御手段をさらに有し、
前記走査手段は、前記合焦している所定の被写体に前記画像情報を投影可能に配置されていることを特徴とする請求項６乃至８のいずれか１項に記載の撮像装置。
【請求項１０】
被写体の顔に関する情報を検出する検出手段をさらに有し、
前記制御手段は、前記検出した顔に関する情報に基づいて目の位置に合焦するように前記撮像光学系を制御して、
前記走査手段は、前記合焦している目の網膜に前記画像情報を投影することを特徴とする請求項９に記載の撮像装置。
【請求項１１】
モード判定手段をさらに有し、
前記走査手段は、特定のモードと判定されたときに画像情報を投影することを特徴とする請求項６乃至１０のいずれか１項に記載の撮像装置。
【請求項１２】
前記モード判定手段は、可動式の表示手段が被写体側を向いている場合、予め登録された顔情報が検出された場合、又はユーザ操作により前記特定のモードが設定された場合に、前記特定のモードと判定することを特徴とする請求項６乃至１１のいずれか１項に記載の撮像装置。
【請求項１３】
前記走査手段は、前記撮像光学系の絞り値に応じて走査角度を変更して投影することを特徴とする請求項６乃至１２のいずれか１項に記載の撮像装置。
【請求項１４】
撮像光学系と、
前記撮像光学系を介して被写体像を受光する撮像素子と、
画像情報に基づく光束を前記撮像光学系を介して投影する走査手段と、を有する撮像装置において、
被写体の顔に関する情報を検出する検出ステップと、
被写体の目の位置に合焦させて撮像する撮像ステップと、
前記画像情報に基づく光束を前記合焦させた目の網膜に投影するステップと、
を有することを特徴とする撮像装置の制御方法。
【発明の詳細な説明】
【技術分野】
【０００１】
本発明は、撮像装置およびその制御方法に関し、特に、スルー画像を投影可能な手段を有する撮像装置に関する。
【背景技術】
【０００２】
近年、デジタルカメラやカメラ付携帯端末において、ユーザーが自分撮り画像を撮影する用途が増えている。また、自分撮り画像は、撮像装置の撮影レンズに視線を向けるカメラ目線での撮影頻度が高い。
【０００３】
そのため、デジタルカメラにおいてはユーザーが自分撮り画像を撮影する際に撮像装置の背面に配置されたプレビュー用の表示装置を可動反転させて、撮像手段からのスルー画像を確認できる構成が提供されている。また、カメラ付携帯端末においては、表示装置側に自分撮り用の撮像装置を設ける構成でスルー画像を確認できるようになっている。
【０００４】
しかしながら、デジタルカメラやカメラ付携帯端末はスルー画像を確認する表示部と撮像装置の撮影レンズの位置が異なり、被写体であるユーザーが表示部を見ながら撮影レンズに視線を向けることは困難である。
【０００５】
そこで、例えば特許文献１のようにレーザー光の走査手段を有し、ユーザーの瞳孔にレーザー光を走査させて、撮像手段からのスルー画像をユーザーの瞳に直接投影する方法が提案されている。操作者の目を撮像する２台の撮像手段と、２台の撮像手段のそれぞれによって撮像された画像データに基づいて、操作者の目の位置情報を取得し、ユーザーの瞳孔にレーザー光を走査させる構成である。
【先行技術文献】
【特許文献】
【０００６】
【特許文献１】特開２０１３−２２８５７３号公報
【発明の概要】
【発明が解決しようとする課題】
【０００７】
しかしながら、上記の特許文献１に開示された従来技術では、レーザー光の走査手段と撮像手段の光軸位置が異なる。そのため、被写体であるユーザーが撮影レンズに視線を向けると走査手段からのレーザー光が正面からユーザーの瞳孔に入らず、撮像手段からのスルー画像が正面に見えない問題がある。
【０００８】
そこで、本発明の目的は、被写体であるユーザーが撮影レンズに視線を向けると走査手段が画像情報に基づく光をユーザーの瞳に投影することで、カメラ目線を外さずに撮像手段からの画像を確認することができる手段を提供することである。
【課題を解決するための手段】
【０００９】
上記目的を達成するために、本発明は、撮像光学系と、前記撮像光学系を介して被写体像を受光する撮像素子と、画像情報に基づく光束を出力する光源手段と、前記光源手段からの光束を反射させて投影する走査手段と、前記撮像光学系と前記撮像素子との間に前記撮像光学系の光軸に対して傾斜して配置され、前記撮像光学系から入射した光束を透過させて前記撮像素子に結像させて、前記走査手段により投影された光束を前記撮像光学系を介して前記被写体へ反射させる光学素子と、を有し、前記撮像素子と前記走査手段は、前記光学素子からの距離が略同じになるように配置されることを特徴とする。
【発明の効果】
【００１０】
本発明によれば、被写体であるユーザーが撮影レンズに視線を向けると走査手段が画像情報に基づく光をユーザーの瞳に投影することで、カメラ目線を外さずに撮像手段からの画像を確認することができる。
【図面の簡単な説明】
【００１１】
【図１】本発明の第１の実施形態に係る撮像装置の構成例を示すブロック図
【図２】本発明の第１の実施形態に係る撮像装置の外観斜視図
【図３】本発明の第１の実施形態に係る走査手段の構成例を示す概念図
【図４】本発明の第２の実施形態に係る走査手段の制御方法の例を示すフローチャート
【図５】本発明の第２の実施形態に係る自分撮り判定手段の概略図
【図６】本発明の第３の実施形態に係る撮像装置の構成例を示すブロック図
【図７】本発明の第３の実施形態に係る走査手段の走査角度の例を示す概念図
【図８】本発明の第３の実施形態に係る走査手段の走査角度の制御方法の例を示すフローチャート
【発明を実施するための形態】
【００１２】
（第１の実施形態）
以下に、本発明の好ましい実施形態の一例を、添付の図面に基づいて詳細に説明する。
【００１３】
まず、図１、２を参照して、本発明の第１の実施形態に係る撮像装置の主な構成を説明する。以下では、撮像装置としてカメラを用いる場合を例に説明する。
【００１４】
図１は本発明の第１の実施形態に係る撮像装置（カメラ１）の構成例を示すブロック図である。また、図２は第１の実施形態に係る撮像装置（カメラ１）の外観斜視図を示したもので、（ａ）は正面斜視図、（ｂ）は背面斜視図をそれぞれ示している。
【００１５】
カメラ１の正面には撮影レンズユニット２（撮像光学系）が設けられている。
【００１６】
撮影レンズユニット２（撮像光学系）は、レンズから入射した光をカメラ１の内部にある焦点検出および露出検出可能なに結像するよう構成されている。
【００１７】
撮像手段３は、結像した被写体像を受光して撮像信号に変換する撮像素子である。また、撮像手段３は電荷蓄積を制御した電子シャッターによる撮像が可能であり、被写体像のスルー画像を出力することができる。シャッターは撮像手段３（撮像素子）の前面に走行可能な遮光幕を配置するメカニカルシャッターを用いてもよい。
【００１８】
表示手段４は、撮像手段３より出力されたスルー画像を表示可能であり、撮影者はピントや構図、露出をライブビューにより確認しながら撮影することができる。
【００１９】
レリーズ釦５は、カメラ１の撮像指示を行うためのボタンである。撮影者がレリーズ釦５を半押し（ＳＷ１）すると、撮像手段３による測光、測距が開始され、撮影レンズユニット２内のレンズ駆動手段６によるフォーカスレンズ７の駆動が行われる。つぎに撮影者がレリーズ釦５を全押し（ＳＷ２）すると撮像手段３が電子シャッッターを走行させ、撮像を行う。そして撮像手段３は電荷蓄積および電荷読み出し動作を開始させる露光動作を行う。
【００２０】
レンズ駆動手段６は、撮影レンズユニット２に含まれるフォーカスレンズ７やその他のレンズ群を駆動するためのモータなどの駆動手段である。フォーカスレンズ７は、光軸方向に移動して焦点調節を行う。
【００２１】
そして、カメラ１の側面に設けられた画像記録読取手段８に装着されている記録媒体９に撮影画像を記録保存する。記録媒体９は一般的なＳＤカードやＣＦカードなどである。記録媒体９保存された画像は、カメラ１の背面の画像再生釦１０を押すことで、表示手段４に表示される。
【００２２】
システム制御回路１１は、カメラ１の全体を制御し、撮像や画像処理、映像出力、などの制御を行う。システム制御回路１１は、ＣＰＵやＭＰＵ等により構成され、後述する各回路等の動作を制御する。
【００２３】
システム制御回路１１は、焦点検出手段１２を内包しており、測距が開始されると撮像手段３からの出力をもとにレンズ駆動手段６を制御し、フォーカスレンズ７を光軸方向に駆動して焦点合わせを行う。焦点検出は、撮像手段３が撮像画素群のほかに不図示の焦点検出画素群と焦点検出画素群の前に配置された瞳分割レンズ群とを有し、撮像面上で位相差による焦点検出を行う撮像面位相差ＡＦにより検出できる。また、撮像画像のコントラスト比から焦点検出を行うコントラストＡＦや撮像手段３を光軸方向に前後に駆動させてコントラストＡＦを行うウォブリング方法などでよい。これらは公知であるので、詳細な説明は省略する。
【００２４】
また、システム制御回路１１は被写体認識手段１３を内包しており、撮像手段３から出力される被写体の撮像画像をもとに顔に相当する領域や被写体像全体を特定し、被写体の顔に合わせて上述のＡＦ動作を行う。たとえば、顔認識は肌色や顔の輪郭、目や鼻などの特徴点から撮像画像内の顔候補領域を抽出し、その特徴量から顔領域を決定する方法がある。また、複数の顔の形状をしたテンプレートを用意して、そのテンプレートと撮像画像の相関を解析し、その相関値より顔領域を決定する方法などでもよい。被写体像認識は、色や形状、コントラスト情報から背景と被写体像領域を分離し抽出し、被写体像を認識する。被写体を認識する方法は公知であるため詳細な説明は省略する。
【００２５】
つぎにシステム制御回路１１は露出検出手段１４を内包しており、測光が開始されると撮像手段３からの出力をもとに撮影者が事前に設定した撮影条件に応じてレンズユニット２内の絞り１５の絞り値および撮像手段３の電子シャッタースピードを決定する。レリーズ釦５（ＳＷ２）により撮影動作が開始されるとシステム制御回路１１は露光制御部１６により絞り１５および電子シャッターの電荷蓄積時間を決定された値に制御する。また、システム制御回路１１は露光制御部１６によりタイミングジェネレータ１７から撮像手段３を駆動する際に必要なパルス信号を出力させる。撮像手段３はタイミングジェネレータ１７から出力されたパルス信号に応じ電荷蓄積および電荷読み出し動作を行う。
【００２６】
撮像手段３から読み出された電荷はＡ／Ｄ変換回路１８によりデジタル化され、画像処理回路１９へ送られる。
【００２７】
送られた画像は画像処理回路１９内の画像処理部２０によりホワイトバランス調整や画像圧縮処理等を行われ、記録制御部２１により画像記録読込手段８を介し記録媒体９に記録保存される。
【００２８】
記録媒体９に保存した撮影画像は、画像再生釦１０を押すことで画像記録読込手段８により画像処理回路１９内の表示制御部２２に読み込まれ、Ｄ／Ａ変換回路２３によりアナログ化され表示手段４に示される。
【００２９】
なお、本発明においては、撮影レンズユニット２はフォーカスレンズ７のみの記載であるが、ズームレンズを有するものなどでもよく、一体型もしくは取替え可能な別体型の構成としてもよい。また、撮像手段３の前面にメインミラー（光学素子）を回動可能に配置し、撮影レンズユニット２からの光をペンタプリズムと結像レンズを通して撮影者の目に導く光学ファインダーを構成してもよい。また、メインミラーにサブミラー（光学素子）を回動可能に設け、撮像手段３からの出力をもとに焦点検出を行う焦点検出手段１２とは別に位相差ＡＦによる焦点検出手段を設けてもよい。上述したこれらの構成に関しては公知であるため詳細な説明は省略する。
【００３０】
撮影モード選択手段２４は、ダイヤル操作部材であり、撮影モードを設定することができる。例えば自動露出モード、絞り優先露出モード（Ａｖ）、シャッタースピード優先露出モード（Ｔｖ）、マニュアルモード（Ｍ）、バルブモード（Ｂ）が設定可能である。
【００３１】
例えば、自動露出モードに設定した場合は、ダイヤル操作部材である露出設定手段２５により撮影者が任意に適正露出値を設定し、絞り値およびシャッタースピードは撮影時にその適正露出になるように自動で決定される。絞り優先露出モード（Ａｖ）、シャッタースピード優先露出モード（Ｔｖ）、マニュアルモード（Ｍ）を設定した場合は、絞り設定手段２６およびシャッタースピード設定手段２７により、絞り値およびシャッタースピードを任意に設定できる。バルブモードを設定した場合は、レリーズ釦１１（ＳＷ２）を押すと撮影を開始し、レリーズ釦１１（ＳＷ２）を押している間は露光し続け、レリーズ釦１１（ＳＷ２）を離すと露光終了し、撮影中にシャッタースピードが決定できる。
【００３２】
光源２８は、ＲＧＢの平行光を束ねた光束を照射する。走査手段２９は、ＭＥＭＳミラーを設けており、光源２８からの平行光を所定の角度で走査可能である。ＭＥＭＳミラーにより走査された光束は残像現象により、画像として投影される。
【００３３】
ハーフミラー３０（光学素子）は、光束の一部を透過させ、または一部を反射させることが可能な構造であり、撮像手段３と撮影レンズユニット２との間に光軸に対して傾斜して配置されている。そして、撮影レンズユニット２（撮像光学系）を介して入射した光束を撮像手段３へ透過し、走査手段２９により走査された光束を撮影レンズユニット２（撮像光学系）へ反射する。
【００３４】
本発明の第１の実施形態に係る撮像手段３からのスルー画像をユーザーの網膜に投影する走査手段の構成例について図３を用いて詳細に説明する。図３は、本発明の第１の実施形態に係る走査手段の構成例を示す概念図である。ハーフミラー３０（光学素子）（光学素子）は、図３に示すように撮影レンズユニット２（撮像光学系）と撮像手段３の間に配置されている。
【００３５】
図３（ａ）は、撮影レンズユニット２（撮像光学系）からの被写体像の結像光は撮像手段３へ透過させる場合の概念図である。ハーフミラー３０（光学素子）は、撮影レンズユニット２（撮像光学系）を介して入射した光束を撮像手段３へ透過して結像させる。
【００３６】
図３（ｂ）は、光源２８により照射された光束を被写体の網膜に結像させる場合の概念図である。
【００３７】
前述したとおり本実施形態に係る撮像装置は、撮像手段３からのスルー画像を投影する光源２８と、光源２８からの光束を所定の角度で反射して走査する走査手段２９とを有する。光源２８から出力された光束を走査手段２９により走査した光束を、ハーフミラーを介して撮影レンズユニット２（撮像光学系）へ導き被写体の網膜へ結像させることで画像を投影する。
【００３８】
光源２８は、表示制御部２２により制御されて、画像情報を取得してその画像情報に基づくＲＧＢの平行光を束ねた光束を照射可能である。本実施形態では、光源２８は撮像手段３により生成されて画像処理回路１９で画像処理されたスルー画像（ライブビュー画像）の画像情報を取得して光束として出力する。
【００３９】
走査手段２９は、光源２８から照射された平行光を所定の角度で走査可能なＭＥＭＳミラーを設けており、照射する際には、微小駆動しながら、走査線として網膜に映像を投影する。ＭＥＭＳミラーにより走査された光束は残像現象により、画像として投影可能である。
【００４０】
図３（ｂ）に示すように、走査手段２９により走査された光束は、ハーフミラー３０（光学素子）で反射して撮影レンズユニット２（撮像光学系）を介して被写体の網膜に結像することで投影される。ここで、走査手段２９のＭＥＭＳミラーの回転中心は撮像レンズユニット２の結像位置と略同じ距離になるように配置されている。前述のように配置にすることにより、被写体の瞳に合焦させたときに、走査手段２９からの走査された光束をハーフミラー３０（光学素子）により反射させて被写体の瞳の網膜に投影可能になる。
【００４１】
以上の構成により、被写体が撮像されたスルー画像を確認しながら、カメラ目線の画像を取得することができる。
【００４２】
（第２の実施形態）
つぎに第２の実施形態として、自分撮り時における撮像手段３からのスルー画像を、ユーザーの網膜に投影する走査手段の制御方法を図４のフローチャートを用いて説明する。図４は、本発明の第１の実施形態に係る走査手段の制御方法の例を示すフローチャートである。図４のフローチャートは、システム制御回路１１によって、各処理ブロックを制御し実行される処理手順を図示したものである。システム制御回路１１が有するメモリ（ＲＯＭ）に格納されているプログラムをメモリ（ＲＡＭ）に展開し、ＣＰＵが実行することにより実現される。
【００４３】
まず、ステップＳ１０１で電源を入れる（撮影モードに移行する）と、撮像手段３からのスルー画像を表示手段４により表示しながら撮影を行うライブビュー撮影を開始する。
【００４４】
次にステップＳ１０２で、被写体認識によりユーザーが自分撮り撮影を行うかどうかのモード判定をする。システム制御回路１１は自分撮り判定手段３１を内包しており、例えば図５の（ａ）に示すように被写体認識１３により事前に登録されたユーザーの顔が認識されると自分撮りを行うと自分撮り判定手段３１により判定される。ここで被写体認識により自分撮り撮影を判定したがこれに限られない。例えば前述のようなユーザーの顔情報が登録されていない場合は、図５の（ｂ）のように表示手段４の回転角に基づいて判断してもよい。表示手段４が可動式である場合に、表示手段４が被写体側から見える位置に回動された場合に自分撮りと判定してもよい。また、表示手段４の回転角だけでなく、被写体認識１３による被写体認識と組み合わせて自分撮り判定手段３１により自分撮りと判定されるように構成してもよい。また、ユーザ操作に応じて、例えば「自分撮りモード」のような自分撮りのための撮影モードに設定した場合に、自分撮りと判定する構成でもよい。自分撮りを行うと判定されない場合はステップＳ１０６へ進み、通常の撮影動作へ移行する。
【００４５】
つぎにステップＳ１０３では、焦点検出手段１２は被写体検出手段１３により認識された被写体の目の位置の焦点検出を行い、その結果に基づいて撮影レンズユニット２（撮像光学系）内のレンズ駆動手段６によるフォーカスレンズ７の合焦駆動を行う。なお、ここで被写体検出手段１３による被写体検出は、ステップＳ１０２の結果を用いてもよいし、改めて日射程検出を行ってもよい。
【００４６】
ステップＳ１０４で表示装置４の表示を停止する。
【００４７】
つぎにステップＳ１０５で表示制御部２２は撮像手段３のスルー画像を光源２８から出力し、走査手段２９により走査された光束として被写体検出手段１３により認識された被写体の目の位置に投影する。フォーカスレンズ７は被写体の目の位置に合焦しているため、フォーカスレンズ７を通った走査手段２９からの光束は被写体の目の表面を回転中心として交わり、図３の（ｂ）に示すようにスルー画像を網膜へ走査投影することができる。その結果、被写体は撮像レンズユニット２に目線を合わせながらスルー画像を確認することができる。
【００４８】
ステップＳ１０６で撮影を実行して被写体の画像を取得する。
【００４９】
以上のように、本実施形態によれば、撮像レンズユニット２からカメラ目線を外すことなく撮像手段３からのスルー画像を確認し、目線が合った自分撮り画像を得ることができる。
【００５０】
（第３の実施形態）
つぎに第３の実施形態として、撮像手段３からのスルー画像を撮影レンズユニット２（撮像光学系）の絞り１５に遮られずに走査手段２９により被写体の網膜に投影する走査角度の制御方法について説明する。図６は、本発明の第３の実施形態に係る撮像装置（カメラ１）の構成例を示すブロック図である。図６の撮像装置は、システム制御回路１１は走査手段２９の走査角度を制御する走査角度制御手段３２を内包している。
【００５１】
ここで図７は、本発明の第３の実施形態に係る走査手段の走査角度の例を示す概念図である。図７に示すように、走査手段２９は光源２８からの平行光を反射して所定の角度域で走査し撮像手段３からのスルー画像を投影するため、スルー画像の画角は撮影レンズユニット２（撮像光学系）の絞り１５の開口径により遮られる。そのため、走査角度制御手段３２は撮影レンズユニット２（撮像光学系）の絞り１５のＦ値から走査手段２９が光束を走査する角度を算出し、走査手段２９の走査角度を制御する必要がある。
【００５２】
例えば、図７の（ａ）に示すように撮影レンズユニット２（撮像光学系）の絞り１５の開放Ｆ値がＦａとすると、走査手段２９が走査する光束が絞り１５に遮られない走査角度θａは以下に示す式（１）により算出することができる。
θａ＝ｔａｎ（１／Ｆａ）・・・式（１）
【００５３】
図７の（ｂ）に示すようにユーザーが撮影時の設定で撮影レンズユニット２（撮像光学系）の絞り１５のＦ値を開放値からＦｂ（＞θａ）に絞った場合、走査手段２９が走査する光束が絞り１５に遮られない走査角度θｂは以下の式（２）により算出される。
θｂ＝ｔａｎ（１／Ｆｂ）・・・式（２）
【００５４】
すなわち、撮像手段３からのスルー画像の投影画角は開放絞りのときより小さくなる。よって、自分撮り時における撮像手段３からのスルー画像を投影する際は、撮影レンズユニット２（撮像光学系）の絞り１５は開放値で制御されることが好ましい。
【００５５】
つぎに図８のフローチャートを用いて走査角度制御手段３２による走査角度の制御方法について説明する。図８は、本発明の第３の実施形態に係る走査手段の走査角度の制御方法の例を示すフローチャートである。図８のフローチャートは、システム制御回路１１によって、各処理ブロックを制御し実行される処理手順を図示したものである。システム制御回路１１が有するメモリ（ＲＯＭ）に格納されているプログラムをメモリ（ＲＡＭ）に展開し、ＣＰＵが実行することにより実現される。図８のステップＳ１０１、Ｓ１０２に関しては、それぞれ前述の第２の実施形態の図４のステップＳ１０１、Ｓ１０２と同様の処理のため説明を省略する。
【００５６】
ステップＳ１０２で自分撮り撮影と判定されたときはステップＳ２０３へ進み、撮影レンズユニット２（撮像光学系）の絞り１５を開放に制御する。
【００５７】
つぎのステップＳ２０４、Ｓ２０５は、図４のステップＳ１０３、Ｓ１０４と同様の処理を行う。ステップＳ１０４で、焦点検出手段１２は被写体検出手段１３により認識された被写体の目の位置の焦点検出に基づいてレンズ駆動手段６によりフォーカスレンズ７の合焦駆動を行い、ステップＳ２０５で表示装置４の表示を停止する。
【００５８】
つぎにＳ２０６で、走査角度制御手段３２は撮影レンズユニット２（撮像光学系）の絞り１５のＦ値（Ｆｂ）から、前述の式（２）に基づき走査手段２９が光束を走査する角度（θｂ）を算出する。
【００５９】
つぎにＳ２０７で、表示制御部２２は撮像手段３のスルー画像を光源２８から出力する。走査手段２９は走査角度制御手段３２により算出された角度（θｂ）内で光源２８からの光束を走査し、被写体検出手段１３により認識された被写体の目の位置にスルー画像を投影する。
【００６０】
ステップＳ２０８で撮影を実行して被写体の画像を取得する。
【００６１】
以上のように、本実施形態によれば、走査手段によって撮影レンズの絞りに遮られることなく、被写体が撮像レンズからカメラ目線を外さずに撮像手段からのスルー画像を確認しながら撮影し、被写体の目線が合った画像を得ることができる。
【００６２】
以上が本発明の好ましい実施形態の説明であるが、本発明は、本発明の技術思想の範囲内において、上記実施形態に限定されるものではなく、対象となる回路形態により適時変更されて適応するべきものである。例えば、上述した実施形態で、撮像装置として説明したカメラは、デジタルスチルカメラやデジタルビデオカメラに適用することができる。
【００６３】
また、本実施形態に係る撮像装置を構成する各手段および撮像装置の制御方法の各ステップは、コンピュータのメモリなどに記憶されたプログラムが動作することによっても実現できる。また、１以上の機能を実現する回路（例えば、ＡＳＩＣ）によっても実現可能である。
【符号の説明】
【００６４】
２  撮影レンズユニット
３  撮像手段
２８  光源
２９  走査手段
３０  ハーフミラー
３２  走査角度制御手段
【図１】
2018189746.tif 000003
【図２】
2018189746.tif 000004
【図３】
2018189746.tif 000005
【図４】
2018189746.tif 000006
【図５】
2018189746.tif 000007
【図６】
2018189746.tif 000008
【図７】
2018189746.tif 000009
【図８】
2018189746.tif 000010